(57)【要約】【課題】  ユーザが打ち合わせ等で使用する資料の印刷を行う際には、印刷設定の制限を解除するとともに、当該資料以外の印刷を行う際には、設定可能な印刷設定を制限する。【解決手段】  ユーザ毎に通常使用可能な印刷設定を設定しておく。ユーザが通常使用可能な印刷設定以外の印刷設定での印刷を行う場合には、会議をスケジュール登録するとともに、その会議で使用する印刷データを使用するための一時使用可能印刷設定の申請を行う。その申請に対して承認がなされると、その会議で使用する資料の印刷に限り、一定期間一時使用可能な印刷設定での印刷出力を行うことを可能とする。【選択図】  図８
2013246707.tif 000002
【特許請求の範囲】
【請求項１】
文書データの印刷時に設定可能な印刷設定を制御する情報処理システムであって、
ユーザ毎に、文書データの印刷を行う際に許可される通常印刷設定を記憶する第１の記憶手段と、
前記通常印刷設定では許可されない印刷設定により文書データの印刷を行うスケジュールと、一時的に許可される一時使用可能印刷設定とを対応付けて記憶する第２の記憶手段と、
文書データに対する印刷指示を受け付ける第１の受付手段と、
前記第１の受付手段で印刷指示を受け付けた前記文書データが、前記第２の記憶手段で記憶されているスケジュールと関連する文書データであるかを判定する判定手段と、
前記判定手段が、前記印刷指示を受けた文書データが前記申請されたスケジュールに関連する文書データであると判定した場合に、一時使用可能印刷設定に基づく印刷設定での文書データの印刷を許可する許可手段と
を備えることを特徴とする情報処理システム。
【請求項２】
前記受付手段で文書データに対する印刷指示を受け付けた後に、文書データの印刷を行う際の印刷設定を指定するための印刷設定画面を表示部に表示する表示手段を更に備え、
前記許可手段は、前記印刷設定画面で一時使用可能印刷設定に係る印刷設定を指定可能にすることで、一時使用可能印刷設定に基づく印刷設定での文書データの印刷を許可すること
を特徴とする請求項１に記載の情報処理システム。
【請求項３】
前記前記印刷設定では許可されない印刷設定により文書データの印刷を行うスケジュールの申請を受け付ける第２の受付手段と、
前記第２の受付手段で受け付けた申請に対する承認または否認の入力を受け付ける第３の受付手段と、
を更に備え、
前記第２の記憶手段は、前記第３の受付手段で承認の入力を受け付けたスケジュールと、一時的に許可される一時使用可能印刷設定とを対応付けて記憶すること
を特徴とする請求項１または２に記載の情報処理システム。
【請求項４】
前記スケジュールごとに、前記一時使用可能印刷設定の指定の入力を受け付ける第４の受付手段を更に備え、
前記第２の記憶手段は、前記第４の受付手段で指定の入力を受け付けた一時使用可能印刷設定を、前記スケジュールと対応付けて記憶すること
を特徴とする請求項１乃至３のいずれか１項に記載の情報処理システム。
【請求項５】
前記通常印刷設定では、カラー印刷、片面印刷が少なくともいずれかが禁止されていること
を特徴とする請求項１乃至４のいずれか１項に記載の情報処理システム。
【請求項６】
文書データの印刷時に設定可能な印刷設定を制御する情報処理システムによって行われる情報処理方法であって、
ユーザ毎に、文書データの印刷を行う際に許可される通常印刷設定を記憶装置に記憶する第１の記憶工程と、
前記通常印刷設定では許可されない印刷設定により文書データの印刷を行うスケジュールと、一時的に許可される一時使用可能印刷設定とを対応付けて記憶装置に記憶する第２の記憶工程と、
文書データに対する印刷指示を受け付ける第１の受付工程と、
前記第１の受付工程で印刷指示を受け付けた前記文書データが、前記記憶装置に記憶されているスケジュールと関連する文書データであるかを判定する判定工程と、
前記判定工程で、前記印刷指示を受けた文書データが前記申請されたスケジュールに関連する文書データであると判定した場合に、一時使用可能印刷設定に基づく印刷設定での文書データの印刷を許可する許可工程と
を備えることを特徴とする情報処理方法。
【請求項７】
文書データの印刷時に設定可能な印刷設定を制御する情報処理システムによって行われる情報処理システムに、
ユーザ毎に、文書データの印刷を行う際に許可される通常印刷設定を記憶装置に記憶する第１の記憶工程と、
前記通常印刷設定では許可されない印刷設定により文書データの印刷を行うスケジュールと、一時的に許可される一時使用可能印刷設定とを対応付けて記憶装置に記憶する第２の記憶工程と、
文書データに対する印刷指示を受け付ける第１の受付工程と、
前記第１の受付工程で印刷指示を受け付けた前記文書データが、前記記憶装置に記憶されているスケジュールと関連する文書データであるかを判定する判定工程と、
前記判定工程で、前記印刷指示を受けた文書データが前記申請されたスケジュールに関連する文書データであると判定した場合に、一時使用可能印刷設定に基づく印刷設定での文書データの印刷を許可する許可工程と、
を備える情報処理方法を実行させるためのコンピュータプログラム。
【発明の詳細な説明】
【技術分野】
【０００１】
本発明は、ユーザが文書データの印刷時に使用可能な印刷設定を変更する技術に関し、特にユーザのスケジュールに応じて使用可能な印刷設定を切り替える技術に関する。
【背景技術】
【０００２】
印刷に係るコストを抑制するために、各ユーザが文書データを印刷する際に使用可能な印刷設定を制限することが行われている。通常、カラー印刷に係るコストはモノクロ印刷に係るコストよりも高いために、ユーザにカラー印刷を行うことを禁止することで、コストの抑制を図っている。また、片面印刷を禁止し、両面印刷のみを許可することで、印刷に使用する用紙の使用量を削減させ、コストの低減を図るなどが行われている。
【０００３】
しかし、例えば、カラー印刷等の印刷設定の利用を禁止されているユーザが、文書データを印刷する際にカラー印刷を希望することは当然ある。例えば、顧客との会議で使用する資料などである。しかし、カラー印刷を禁止されているユーザは、資料をカラー印刷することが出来ないので、その場合にはカラー印刷を行う権限を有するユーザに資料の印刷を依頼しなくてはならず不便であった。
【０００４】
そこで、特許文献１には、ユーザに設定された印刷制限を変更したい場合に、申請を行い、その申請に対する承認を得られた場合に当該ユーザに設定された印刷制限を変更する技術が開示されている。
【先行技術文献】
【特許文献】
【０００５】
【特許文献１】特開２００５−３４９７０２号公報
【発明の概要】
【発明が解決しようとする課題】
【０００６】
ユーザ使用できない印刷設定による印刷を行う際に、特許文献１のように、印刷設定の一時許可申請を行わせ、その申請に対する承認が得られた場合に禁止されている印刷設定による印刷を可能にする場合には、ユーザは印刷を行うたびに申請を行わなくてはならないことになり不便である。また、印刷を行いたいときに承認者が直ちに承認処理を行えるとは限らず、その場合には禁止されている印刷設定による印刷を直ちに実行することが出来ない。
【０００７】
また、承認が行われた場合に、一定の期間、通常は禁止されている印刷設定による印刷を許可するようなことも考えられるが、その場合には、カラー印刷が必ずしも必要ない文書データの印刷を行う際にもカラー印刷を行えることになってしまうので、印刷設定の制限が適切に行われないことになってしまう。
【０００８】
上記した課題に鑑み、本発明は、承認により、ユーザが通常禁止されている印刷設定による印刷を一定期間許可する場合に、ユーザが通常禁止されている印刷設定により印刷を行う必要のない文書データまで、その印刷設定により印刷出力されることを好適に防止することを目的とする。
【課題を解決するための手段】
【０００９】
上記した目的を達成するために、本発明の情報処理システムは、文書データの印刷時に設定可能な印刷設定を制御する情報処理システムであって、ユーザ毎に、文書データの印刷を行う際に許可される通常印刷設定を記憶する第１の記憶手段と、前記通常印刷設定では許可されない印刷設定により文書データの印刷を行うスケジュールと、一時的に許可される一時使用可能印刷設定とを対応付けて記憶する第２の記憶手段と、文書データに対する印刷指示を受け付ける第１の受付手段と、前記第１の受付手段で印刷指示を受け付けた前記文書データが、前記第２の記憶手段で記憶されているスケジュールと関連する文書データであるかを判定する判定手段と、前記判定手段が、前記印刷指示を受けた文書データが前記申請されたスケジュールに関連する文書データであると判定した場合に、一時使用可能印刷設定に基づく印刷設定での文書データの印刷を許可する許可手段とを備えることを特徴とする。
【００１０】
上記した目的を達成するために、本発明の情報処理方法は、文書データの印刷時に設定可能な印刷設定を制御する情報処理システムによって行われる情報処理方法であって、ユーザ毎に、文書データの印刷を行う際に許可される通常印刷設定を記憶装置に記憶する第１の記憶工程と、前記通常印刷設定では許可されない印刷設定により文書データの印刷を行うスケジュールと、一時的に許可される一時使用可能印刷設定とを対応付けて記憶装置に記憶する第２の記憶工程と、文書データに対する印刷指示を受け付ける第１の受付工程と、前記第１の受付工程で印刷指示を受け付けた前記文書データが、前記記憶装置に記憶されているスケジュールと関連する文書データであるかを判定する判定工程と、前記判定工程で、前記印刷指示を受けた文書データが前記申請されたスケジュールに関連する文書データであると判定した場合に、一時使用可能印刷設定に基づく印刷設定での文書データの印刷を許可する許可工程とを備えることを特徴とする。
【００１１】
上記した目的を達成するために、本発明のコンピュータプログラムは、文書データの印刷時に設定可能な印刷設定を制御する情報処理システムによって行われる情報処理システムに、ユーザ毎に、文書データの印刷を行う際に許可される通常印刷設定を記憶装置に記憶する第１の記憶工程と、前記通常印刷設定では許可されない印刷設定により文書データの印刷を行うスケジュールと、一時的に許可される一時使用可能印刷設定とを対応付けて記憶装置に記憶する第２の記憶工程と、文書データに対する印刷指示を受け付ける第１の受付工程と、前記第１の受付工程で印刷指示を受け付けた前記文書データが、前記記憶装置に記憶されているスケジュールと関連する文書データであるかを判定する判定工程と、前記判定工程で、前記印刷指示を受けた文書データが前記申請されたスケジュールに関連する文書データであると判定した場合に、一時使用可能印刷設定に基づく印刷設定での文書データの印刷を許可する許可工程とを備える情報処理方法を実行させることを特徴とする。
【発明の効果】
【００１２】
本発明によれば、ユーザは、禁止されている印刷設定による印刷を行う必要がある予定に関連する資料の印刷にのみ、その印刷設定による印刷を実行可能となり、他の文書データの印刷を、禁止されている印刷設定により行うことが出来ない。それにより、ユーザが通常禁止されている印刷設定により印刷を行う必要のない文書データまで、その印刷設定により印刷出力されることを好適に防止することが可能となる。
【図面の簡単な説明】
【００１３】
【図１】本発明の情報処理システムのシステム構成の一例を示す図である。
【図２】サーバ装置１０１、クライアント装置１０２に適用可能な情報処理装置のハードウェア構成の一例を示す図である。
【図３】サーバ装置１０１、クライアント装置１０２の機能構成の一例を示す図である。
【図４】クライアント装置１０２によって行われる処理の概要を示すフローチャートである。
【図５】スケジュール登録処理を示すフローチャートである。
【図６】一時使用可能印刷設定承認処理を示すフローチャートである。
【図７】印刷処理を示すフローチャートである。
【図８】印刷設定取得・反映処理を示すフローチャートである。
【図９】スケジュール登録画面の構成の一例を示す図である。
【図１０】印刷設定画面の構成の一例を示す図である。
【図１１】一時使用可能印刷設定承認画面の構成の一例を示す図である。
【図１２】通常印刷設定情報のデータ構成の一例を示す図である。
【図１３】一時使用可能印刷設定申請データテーブルのデータ構成の一例を示す図である。
【図１４】一時使用可能印刷設定情報のデータ構成の一例を示す図である。
【図１５】スケジュールに関連する印刷データ特定条件情報を示す図である。
【発明を実施するための形態】
【００１４】
以下、図面を参照して、本発明の実施の形態の一例について説明する。
【００１５】
図１は、本発明の実施の形態に係る情報処理システムの構成の一例を示すシステム構成図である。図１に示す通り、本発明の情報処理システムは、サーバ装置１０１、クライアント装置１０２、画像形成装置１０３、ＬＡＮ１０４等を備えて構成されている。
【００１６】
サーバ装置１０１は、クライアント装置１０２から登録要求を受け付けたスケジュールに関連する文書データを印刷する際に、一時的に使用可能となる印刷設定情報（以後、「一時使用可能印刷設定」という）をユーザ毎に管理するサーバ装置である。
【００１７】
クライアント装置１０２は、ユーザが使用する情報処理装置であって、ユーザの操作指示に基づき、サーバ装置１０１に対してスケジュールの登録要求を行ったり、画像形成装置１０３から印刷出力するための印刷データを生成し、指定された画像形成装置１０３に送信することにより、当該画像形成装置１０３に当該印刷データの印刷出力を行わせたりする情報処理装置である。
【００１８】
画像形成装置１０３は、印刷データの印刷出力を行う画像形成装置である。プリンタや複合機等で構成される。ＬＡＮ１０４は、上記した各装置を相互に通信可能に接続するためのネットワークである。接続形態は有線／無線を問わない。
【００１９】
以上が、本発明の情報処理システムのシステム構成の一例の説明である。
【００２０】
次に、図２を参照して、図１のサーバ装置１０１、クライアント装置１０２に適用可能な情報処理装置のハードウェア構成について説明する。図２は、サーバ装置１０１、クライアント装置１０２に適用可能な情報処理装置のハードウェア構成の一例を示すブロック図である。
【００２１】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Basic Input / Output System）やオペレーティングシステムプログラム（以下、ＯＳ）や、サーバ装置１０１やクライアント装置１０２が実行する機能を実現するために必要な後述する各種プログラム等が記憶されている。
【００２２】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２３】
また、２０５は入力コントローラで、キーボードやポインティングデバイス等の入力装置２０９からの入力を制御する。２０６はビデオコントローラで、ディスプレイ装置２１０等の表示器への表示を制御する。これらは必要に応じて操作者が使用するものである。
【００２４】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２５】
２０８は通信Ｉ／Ｆ（インタフェース）コントローラで、ネットワーク（例えば、図１に示したＬＡＮ１０４）を介して外部機器と接続・通信するものであり、ネットワークでの通信制御処理を実行する。例えば、ＴＣＰ／ＩＰを用いた通信等が可能である。
【００２６】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２７】
本発明を実現するための後述するフローチャートに示す各ステップの処理は、コンピュータで読み取り実行可能なプログラムにより実行され、そのプログラムは外部メモリ２１１に記録されている。そして、必要に応じてＲＡＭ２０２にロードされることによりＣＰＵ２０１によって実行されるものである。また、さらに、上記プログラムの実行時に用いられる定義ファイル及び各種情報テーブル等も、外部メモリ２１１に格納されており、これらについての詳細な説明も後述する。
【００２８】
次に、図３を参照して、サーバ装置１０１及びクライアント装置１０２の機能構成について説明する。
【００２９】
図３に示す通り、サーバ装置１０１は、スケジュール登録要求受付部３０１、一時使用可能印刷設定記憶部３０２、一時使用可能印刷設定承認受付部３０３、一時使用可能印刷設定送信部３０４等を備えて構成されている。
【００３０】
また、クライアント装置１０２は、スケジュール登録要求部３１１、一時使用可能印刷設定要求部３１２、一時使用可能印刷設定適用可否判定部３１３、印刷データ生成部３１４等を備えて構成されている。
【００３１】
サーバ装置１０１のスケジュール登録要求受付部３０１は、クライアント装置１０２のスケジュール登録要求部３１１からのスケジュール登録要求を受け付ける機能部である。一時使用可能印刷設定記憶部３０２は、スケジュール登録要求受付部３０１が受け付けたスケジュール登録要求に含まれる一時使用可能印刷設定申請情報を記憶する機能部である。
【００３２】
サーバ装置１０１の一時使用可能印刷設定承認受付部３０３は、一時使用可能印刷設定記憶部に記憶されている一時使用可能印刷設定申請情報に対する承認／否認を受け付ける機能部である。一時使用可能印刷設定送信部３０４は、クライアント装置１０２の一時使用可能印刷設定要求部３１２からの印刷設定要求に応じて、クライアント装置１０２に対して、クライアント装置１０２を使用するユーザに関連する一時使用可能印刷設定情報を送信する機能部である。
【００３３】
クライアント装置１０２のスケジュール登録要求部３０１は、サーバ装置１０１に対してスケジュールの登録要求を行う機能部である。一時使用可能印刷設定要求部３１２は、サーバ装置１０２に対して、クライアント装置１０２を使用するユーザに関連する一時使用可能印刷設定情報の送信を要求する機能部である。
【００３４】
一時使用可能印刷設定適用可否判定部３１３は、サーバ装置１０１の一時使用可能印刷設定送信部から送信された印刷設定のうちいずれかを、印刷対象の文書データの印刷に用いることが可能であるかを判定する機能部である。印刷データ生成部３１４は、ユーザに指定された印刷設定に従って、印刷データを生成する機能部である。
【００３５】
以上が、サーバ装置１０１及びクライアント装置１０２の機能構成の説明である。
【００３６】
次に、図４を参照して、クライアント装置１０２によって行われる処理の概要について説明する。
【００３７】
クライアント装置１０２のＣＰＵ２０１は、ユーザの入力装置２０９を用いての操作指示により、スケジュール登録要求指示を受け付けたと判定すると（ステップＳ４０１でＹＥＳ）、処理をステップＳ４０２にすすめ、スケジュール登録処理を行う。この処理の詳細は、図５を参照して後述する。
【００３８】
クライアント装置１０２のＣＰＵ２０１は、ユーザの入力装置２０９を用いての操作指示により、一時使用可能印刷設定の承認処理実行指示を受け付けたと判定すると（ステップＳ４０３でＹＥＳ）、処理をステップＳ４０４に進め、一時使用可能印刷設定承認処理を行う。この処理の詳細は、図６を参照して説明する。
【００３９】
クライアント装置１０２のＣＰＵ２０１は、ユーザの入力装置２０９を用いての操作指示により、印刷指示を受け付けたと判定すると（ステップＳ４０５でＹＥＳ）、処理をステップＳ４０６に進め、印刷処理を行う。この処理の詳細は、図７を参照して説明する。
【００４０】
クライアント装置１０２は、上記以外の指示（終了指示を除く）を受け付けた（ステップＳ４０７でＮＯ）と判定した場合には、処理をステップＳ４０８に進め、その他、受け付けた指示に対応する処理を実行する。
【００４１】
そして、上記の処理をユーザの操作指示により終了指示が入力された（ステップＳ４０７でＹＥＳ）と判定するまで実行する。以上が、クライアント装置１０２のＣＰＵ２１０によって行われる処理の概要の説明である。
【００４２】
次に、図５を参照して、図４のステップＳ４０２のスケジュール登録処理の詳細について説明する。尚、図中のステップＳ５０１からステップＳ５１２の処理は、クライアント装置１０２のＣＰＵ２０１によって行われる処理、ステップＳ５２１からステップＳ５２９の処理は、サーバ装置１０１にＣＰＵ２０１によって行われる処理である。
【００４３】
クライアント装置１０２のＣＰＵ２０１は、ユーザの入力装置２０９を介した操作指示により、スケジュール登録要求指示を受け付けると（図４のステップＳ４０１でＹＥＳ）、スケジュール登録画面を表示するための画面情報を要求するためのスケジュール登録画面要求データを、サーバ装置１０１に対して送信する（ステップＳ５０１）。尚、スケジュール登録要求指示は、クライアント装置１０２で実行されるブラウザソフトウェアの機能を用いて、サーバ装置１０１が提供するスケジュール登録サービスを実行するためのＵＲＬに対するアクセス指示を入力することで、クライアント装置１０２のＣＰＵ２０１に入力可能である。
【００４４】
サーバ装置１０１のＣＰＵ２０１は、クライアント装置１０２から送信されたスケジュール登録画面要求データを受信すると（ステップＳ５２１）、スケジュール登録画面を表示させるための画面情報を作成し（ステップＳ５２２）、その画面情報を、要求を行ったクライアント装置１０２に対して送信する（ステップＳ５２３）。
【００４５】
クライアント装置１０２のＣＰＵ２０１は、サーバ装置１０１から送信された画面情報を受信すると（ステップＳ５０２）、画面情報に従って、ディスプレイ装置２１０にスケジュール登録画面９００（図９）を表示する（ステップＳ５０３）。
【００４６】
ここで、図９を参照して、スケジュール登録画面の構成の一例について説明する。図９に示すように、スケジュール登録画面９００は、開始日時入力部９０１、終了日時受付部９０２、相手会社名入力部９０３、関連資料有無指定部９０４、一時使用可能印刷設定申請指定部９０５、登録ボタン９０６、キャンセルボタン９０７等を備えて構成されている。
【００４７】
開始日時入力部９０１は、登録スケジュールに係る予定の開始日時を示す日時情報の入力を受け付ける入力部である。終了日時入力部９０２は、登録スケジュールに係る予定の終了日時を示す日時情報の入力を受け付ける入力部である。
【００４８】
相手会社名入力部９０３は、いずれの取引先（相手会社）との打ち合わせであるかを示す情報の入力を受け付ける入力部である。関連資料有無指定部９０４は、当該予定で印刷出力をして持参をする資料があるか否かを示す情報の指定を受け付ける指定部である。
【００４９】
一時使用可能印刷設定申請指定部９０５は、関連資料を印刷するために、通常では使用できない印刷設定を使用可能にするための一時使用可能印刷設定の申請を行うか否かの指定を受け付ける指定部である。尚、一時使用可能印刷設定申請指定部９０５は、関連資料有無指定部９０４で「あり」が選択された時に有効となる。
【００５０】
登録ボタン９０６は、このスケジュール登録画面９００に入力された各種情報を確定させ、スケジュール登録指示をクライアント装置１０２に入力するために用いられるボタンである。キャンセルボタン９０７はスケジュールの登録指示を行わず、本画面を用いての処理を終了するために用いられるボタンである。
【００５１】
以上が、スケジュール登録画面９００の構成の一例の説明である。
【００５２】
図５の説明に戻る。ステップＳ５０３でスケジュール登録画面９００をディスプレイ装置２１０に表示後、その画面を介して、開始日時、終了日時の入力、相手会社名の入力、関連資料の有無の指定、一時使用可能印刷設定の申請の有無の指定を受け付ける（それぞれステップＳ５０４、ステップＳ５０５、ステップＳ５０６、ステップＳ５０７）。
【００５３】
クライアント装置１０２のＣＰＵ２０１は、キャンセルボタン９０７が押下されることで入力される終了指示を受け付けたと判定すると（ステップＳ５０８でＹＥＳ）、サーバ装置１０１に対してスケジュールの登録要求を行うことなく、本図に示す処理を終了する。
【００５４】
クライアント装置１０２のＣＰＵ２０１は、登録ボタン９０６が押下されることで入力される登録指示を受け付けたと判定すると（ステップＳ５０９でＹＥＳ）、スケジュール登録画面を介して入力された各種の情報を含むスケジュール登録要求データを作成し（ステップＳ５１０）、作成したスケジュール登録要求データをサーバ装置１０１に対して送信する（ステップＳ５１１）。
【００５５】
サーバ装置１０１のＣＰＵ２０１は、クライアント装置１０２から送信されたスケジュール登録要求データを受信すると（ステップＳ５２４）、該スケジュール登録要求データに含まれるスケジュール情報を、不図示のスケジュール情報テーブルに登録する（ステップＳ５２５）。
【００５６】
ステップＳ５２５でスケジュール情報をスケジュール情報テーブルに追加登録後、サーバ装置１０１のＣＰＵ２０１は、当該スケジュール登録要求に関連して、一時使用可能印刷設定の申請がされているかを判定する（ステップＳ５２６）。ステップＳ５２６の判定処理でＹＥＳと判定した場合には、サーバ装置１０１のＣＰＵ２０１は、当該スケジュール登録要求に関連する一時使用可能印刷設定申請データを、図１３に示す一時使用可能印刷設定申請データテーブル１３００に追加登録する（ステップＳ５２７）。
【００５７】
ここで、図１３を参照して一時使用可能印刷設定申請データテーブル１３００のデータ構成の一例について説明する。図１３に示す通り、一時使用可能印刷設定申請データテーブル１３００は、ＩＤ１３０１、ユーザＩＤ１３０２、開始日時１３０３、終了日時１３０４、相手会社名１３０５、承認否認１３０６等のデータ項目を備えて構成されている。
【００５８】
ＩＤ１３０１は、一時使用可能印刷設定申請データテーブル１３００に登録されている個々の一時使用可能印刷設定申請データを一意に識別するための識別情報が登録されるデータ項目である。ユーザＩＤ１３０２は、当該一時使用可能印刷設定申請データに関連するユーザ識別情報（ユーザＩＤ）が登録されるデータ項目である。尚、ユーザを一意に特定できる情報であれば、ユーザＩＤではなくユーザ名等を登録するようにしても勿論構わない。
【００５９】
開始日時１３０３は、当該一時使用可能印刷設定申請データに関連するスケジュールの開始日時が登録されるデータ項目であって、スケジュール登録画面９００中の開始日時入力部９０１に入力された日時情報が登録される。終了日時１３０４は、当該スケジュールの終了日時が登録されるデータ項目であって、スケジュール登録画面９００中の終了日時入力部９０２に入力された日時情報が登録される。相手会社名１３０５は、当該スケジュールの打ち合わせ相手会社名が登録されるデータ項目であって、スケジュール登録画面９００中の相手会社名入力部９０３に入力された情報が登録される。
【００６０】
承認／否認１３０６は、当該一時使用可能印刷設定申請が承認されたか、それとも否認されたかを示す情報が登録されるデータ項目である。
【００６１】
以上が、一時使用可能印刷設定申請データテーブル１３００のデータ構成の一例の説明である。
【００６２】
図５の説明に戻る。ステップＳ５２７で一時使用可能印刷設定申請データを登録した後、
サーバ装置１０１のＣＰＵ２０１は処理をステップＳ５２８に進め、当該申請に対する承認を行うユーザを特定し、特定したユーザに対して、承認処理を行う必要がある申請がある旨の通知を行う。例えば、サーバ装置１０１は、不図示のユーザ情報管理テーブルを用いて、申請を行ったユーザの上長を承認者として特定する。これ以外に、一時使用可能印刷設定申請を行う場合に、承認者情報を合わせて入力させるようにし、その承認者情報で特定されるユーザを承認者として特定するような方法を採用しても構わない。
【００６３】
ステップＳ５２６でＮＯと判定した場合、また、ステップＳ５２８の処理終了後、サーバ装置１０１のＣＰＵ２０１は処理をステップＳ５２９に進め、スケジュール情報登録の処理結果を、登録要求データを送信したクライアント装置１０２に対して送信する。
【００６４】
クライアント装置１０２のＣＰＵ２０１は、サーバ装置から送信された処理結果を受信すると、ディスプレイ装置２１０に処理結果を表示する（ステップＳ５１２）。
【００６５】
以上が、スケジュール登録処理の詳細な説明である。
【００６６】
次に、図６を参照して、図４のステップＳ４０４の一時使用可能印刷設定初認処理の詳細について説明する。尚、図中のステップＳ６０１からステップＳ６１１の処理は、クライアント装置１０２のＣＰＵ２０１によって行われる処理、ステップＳ６２１からステップＳ６３２の処理は、サーバ装置１０１のＣＰＵ２０１によって行われる処理である。
【００６７】
クライアント装置１０２のＣＰＵ２０１は、ユーザの入力装置２０９を介した操作指示により、一時使用可能印刷設定承認処理実行指示を受け付けると（図４のステップＳ４０３でＹＥＳ）、一時使用可能印刷設定申請に対する承認処理を行うために用いる承認画面を表示するための画面情報を要求するための承認画面要求データを、サーバ装置１０１に対して送信する（ステップＳ６０１）。尚、一時使用可能印刷設定承認処理実行指示は、クライアント装置１０２で実行されるブラウザソフトウェアの機能を用いて、サーバ装置１０１が提供する一時使用可能印刷設定承認サービスを実行するためのＵＲＬに対するアクセス指示を入力することで、クライアント装置１０２のＣＰＵ２０１に対して入力可能である。
【００６８】
サーバ装置１０１のＣＰＵ２０１は、クライアント装置１０２から送信された認証画面要求データを受信すると（ステップＳ６２１）、当該認証画面要求データを送信したクライアント装置１０２のログインユーザ（要求を行ったユーザ）が承認すべき一時使用可能印刷設定申請をスケジュール情報データテーブル１３００から取得する（ステップＳ６２２）。例えば、ログインユーザの部下から申請されている一時使用可能印刷設定申請を、当該ログインユーザが承認すべき一時使用可能印刷設定として取得する。そして、ステップＳ６２２で取得した一時使用可能印刷設定申請の情報を含む認証画面を表示させるための画面情報を作成し（ステップＳ６２３）、その画面情報を、要求を行ったクライアント装置１０２に対して送信する（ステップＳ６２４）。
【００６９】
クライアント装置１０２は、サーバ装置１０１から送信された画面情報を受信すると（ステップＳ６０２）、画面情報に従って、ディスプレイ装置２１０に承認画面（図１１）を表示する（ステップＳ６０３）。
【００７０】
ここで、図１１を参照して、承認画面１１００の構成について説明する。図１１に示す通り、承認画面１１００は、申請情報表示部１１０１、承認／否認受付部１１０２、条件設定部１１０３、ＯＫボタン１１０４、キャンセルボタン１１０５等を備えて構成されている。
【００７１】
申請表示部１１０１は、承認または否認する対象となる、一時使用可能印刷設定申請の詳細を表示する表示部である。承認者はこの申請表示部１１０１に表示されている情報で、申請者や相手会社名、打ち合わせ日時等を確認することが可能である。
【００７２】
承認／否認受付部１１０２は、一時使用可能印刷設定申請に対する承認または否認の入力を受け付ける受付部である。
【００７３】
条件設定部１１０３は、いずれの印刷設定を一時使用可能にするかの詳細設定を行う設定部である。チェックボックス１１０３−１にチェックが入れられると（図中「■」がチェック状態を、「□」が未チェック状態を示している）、チェックボックス１１０３−２から１１０３−４が有効となる。そして、いずれの印刷設定を許可するかを指定することが可能となる。尚、チェックボックス１１０３−１にチェックが入れられない場合、即ち、詳細設定を行わない場合には、１ページ／枚、カラー印刷、片面印刷すべてが許可されることになる。
【００７４】
ＯＫボタン１１０４は、この承認画面１１００を介して入力された承認または否認の情報を確定させる為に用いられるボタンである。キャンセルボタン１１０５は、承認画面１１００の表示を終了させるために用いられるボタンである。
【００７５】
以上が、承認画面１１００の構成の説明である。
【００７６】
図６の説明に戻る。クライアント装置１０２のＣＰＵ２０１は、ステップＳ６０３においてディスプレイ装置２１０に承認画面１１００を表示した後に、承認画面１１００を介して、一時使用可能印刷設定申請に対する承認／否認の入力を受け付ける（ステップＳ６０４）。この時、承認が選択され、一時使用を許可する印刷設定の詳細設定を行う場合には、その詳細設定情報も合わせて受け付ける。
【００７７】
クライアント装置１０２のＣＰＵ２０１は、承認画面１１００中のキャンセルボタン１１０５が押下されることで入力される終了指示を受け付けると（ステップＳ６０５でＹＥＳ）、本図に示す処理を終了する。
【００７８】
また、クライアント装置１０２のＣＰＵ２０１は、承認画面１１００の承認／否認受付部１１０２で「否認」が選択された状態でＯＫボタン１１０４が押下されることにより入力される否認指示を受け付けると（ステップＳ６０６でＹＥＳ）、当該一時使用可能印刷設定申請に対する否認データを作成し、その否認データをサーバ装置１０１に対して送信する（ステップＳ６０７）。
【００７９】
また、クライアント装置１０２のＣＰＵ２０１は、承認画面１１００の承認／否認受付部１１０２で「承認」が選択された状態でＯＫボタン１１０４が押下されることにより入力される承認指示を受け付けると（ステップＳ６０８でＹＥＳ）、当該一時使用可能印刷設定申請に対する承認データを作成し、その承認データをサーバ装置１０１に対して送信する（ステップＳ６０８）。尚、送信される承認データ、否認データには、いずれの印刷設定が許可されるかを特定するための情報が含まれる。
【００８０】
サーバ装置１０１のＣＰＵ２０１は、クライアント装置１０２から送信された否認データを受信すると（ステップＳ６２５）、一時使用可能印刷設定申請データテーブル１３００に登録されている当該一時使用印刷設定申請データの承認／否認１３０６に否認されたことを示す情報を登録する（ステップＳ６２６）。
【００８１】
一方、クライアント装置１０２から送信された印刷データを受信すると（ステップＳ６２７）、一時使用可能印刷設定申請データテーブル１３００に登録されている当該一時使用印刷設定申請データの承認／否認１３０６に否認されたことを示す情報を登録する（ステップＳ６２８）。その後、一時使用可能印刷設定データテーブル１４００（図１４）に新規にデータを追加する（ステップＳ６２９）。
【００８２】
ここで、図１４を参照して、一時使用可能印刷設定データテーブルのデータ構成について説明する。図１４に示す通り、一時使用可能印刷設定データテーブル１４００は、ユーザＩＤ１４０１、相手会社名１４０２、印刷設定１４０３、使用可能日時１４０４等のデータ項目を備えて構成されている。
【００８３】
ユーザＩＤ１４０１は、この一時使用可能印刷設定を使用することで、通常では許可されない印刷設定での印刷が許可されるユーザを特定するための情報が登録されるデータ項目である。
【００８４】
相手会社名１４０２は、当該一時使用可能印刷設定を適用可能な印刷データを特定するために用いる相手会社名が登録されるデータ項目である。
【００８５】
印刷設定１４０３は、一時的に使用が許可される印刷設定を特定するための情報が登録されるデータ項目であり、１ページ／枚１４０３−１（図中では１／１）、カラー１４０３−２、片面１４０３−３の使用の可否が登録される。「○」が登録されている場合は、その印刷設定の使用が許可されていることを意味している。
【００８６】
使用可能日時１４０４は、当該一時使用印刷設定を使用できる期間を示す情報が登録されるデータ項目である。例えば、当該一時使用印刷設定の申請を行った際に登録したスケジュールの開始日の３営業日前から終了日までといった形で使用可能日時が設定され、このデータ項目に登録される。これ以外にも、承認者が使用可能日時を設定するようにしても構わない。また、ユーザや相手会社名に応じて使用可能日時（期間）を変更するようにしても勿論構わない。
【００８７】
以上が、一時使用可能印刷設定データテーブル１４００の構成の一例の説明である。
【００８８】
図６の説明に戻る。ステップＳ６２６で一時使用可能印刷設定申請データに否認を示す情報の登録後、また、ステップＳ６２９で一時使用可能印刷設定データを一時使用可能印刷設定データテーブル１４００に追加登録後、サーバ装置１０１のＣＰＵ２０１は処理をステップＳ６３０に進め、承認または否認された一時使用可能印刷設定申請の申請者に対して承認・否認の結果を送信する。その後、処理結果を表示するための画面情報を作成し（ステップＳ６３１）、その画面情報を承認者が使用しているクライアント装置１０２に対して送信する（ステップＳ６３２）。
【００８９】
クライアント装置１０２のＣＰＵ２０１は、サーバ装置１０１から送信された処理結果を表示するための画面情報を受信すると、その画面情報に従って処理結果画面をディスプレイ装置２１０に表示する（ステップＳ６１０）。
【００９０】
その後、承認者から終了指示を受け付けると（ステップＳ６１１でＹＥＳ）、本図に示す処理を終了する。尚、継続して承認処理を行う指示を受け付けた場合には（ステップＳ６１１でＮＯ）、処理をステップＳ６０３に戻し、それ以降の処理を行う。
【００９１】
以上が、一時使用可能印刷設定承認処理の説明である。
【００９２】
次に、図７を参照して、図４のステップＳ４０６の印刷データ作成処理の詳細について説明する。
【００９３】
クライアント装置１０２のＣＰＵ２０１は、ユーザの入力装置２０９を介した操作指示により、文書データに対する印刷指示を受け付けると（図４のステップＳ４０５でＹＥＳ）、ディスプレイ装置２１０に印刷設定画面１０００（図１０の（１））を表示する（ステップＳ７０１）。
【００９４】
ここで、図１０を参照して、印刷設定画面１０００の構成の一例について説明する。図１０は、印刷設定画面１０００の構成の一例を示す図である。
【００９５】
図１０の（１）に示す通り、印刷設定画面１０００は、プリンタ指定部１００１、原稿サイズ指定部１００２、出力用紙サイズ指定部１００３、印刷向き指定部１００４、部数指定部１００５、ページレイアウト指定部１００６、配置順指定部１００７、片面／両面指定部１００８、カラーモード指定部１００９、一時使用可能印刷設定取得１０１０、印刷ボタン１０１１、キャンセルボタン１０１２等を備えて構成されている。
【００９６】
プリンタ指定部１００１は、文書データの印刷出力に使用するプリンタの指定を受け付ける指定部である。
【００９７】
原稿サイズ指定部１００２は、文書データの用紙サイズの指定を受け付ける指定部、出力用紙サイズ１００３は、印刷出力の際に用いる用紙サイズの指定を受け付ける指定部である。印刷の向き１００４は、印刷の際の用紙の向きの指定を受け付ける指定部である。部数１００５は、当該文書データの印刷部数の指定を受け付ける指定部である。
【００９８】
ページレイアウト指定部１００６は、１枚の用紙に何ページ印刷するかを示すページレイアウト情報の指定を受け付ける指定部である。配置順指定部１００７は、１枚の用紙に印刷するページのレイアウト順の指定を受け付ける指定部である。
【００９９】
片面／両面指定部１００８は、片面印刷を行うか、それとも両面印刷を行うかの指定を受け付ける指定部である。カラーモード指定部１００９は、カラー印刷を行うか、それともモノクロ印刷を行うかの指定を受け付ける指定部である。
【０１００】
一時使用可能印刷設定取得ボタン１０１０は、サーバ装置１０１に対して、一時使用可能印刷設定データを要求するために用いられるボタンである。
【０１０１】
印刷ボタン１０１１は、この画面を介して指定された印刷設定に従った印刷を指定したプリンタに実行させるために、クライアント装置１０２に対して印刷データの作成指示を入力するために用いられるボタンである。
【０１０２】
キャンセルボタン１０１２は、印刷データの作成指示を行うことなく、印刷設定画面１０００を介した処理を終了するために用いられるボタンである。
【０１０３】
以上が、印刷設定画面１０００の説明である。尚、この印刷設定画面１０００が表示される際の各指定部で選択可能な印刷設定の初期設定は、クライアント装置１０２の外部メモリ２１１に記憶されている、ユーザ毎にユーザそれぞれが通常使用可能な印刷設定を記録している通常印刷設定情報（図１２）に基づいて行われることになる。
【０１０４】
ここで、図１２を参照して、クライアント装置１０２の外部メモリ２１１に記憶されている通常印刷設定情報１２００のデータ構成の一例について説明する。
【０１０５】
図１２に示す通り、通常印刷設定情報１２００は、ユーザ名毎に、使用可能な印刷設定（印刷レイアウト１２０２、カラーモード１２０３、両面／片面１２０４等）が設定されており、この設定に従って、印刷設定画面１０００のページレイアウト１００６、片面／両面１００８、カラーモード１００９で選択可能な項目が設定される。
【０１０６】
以上が、通常印刷設定情報１２００のデータ構成の説明である。尚、この通常印刷設定情報１２００をサーバ装置１０１の外部メモリ２１１で管理するようにし、印刷設定画面の表示時に、サーバ装置に対してログインユーザの通常印刷設定情報を要求するようにしても勿論構わない。
【０１０７】
図７の説明に戻る。ステップＳ７０１で印刷設定画面１０００をディスプレイ装置２１０に表示後、クライアント装置１０２のＣＰＵ２０１は、この印刷設定画面１０００を介して、ユーザからの印刷設定のための各種指示を受け付ける（ステップＳ７０２）。
【０１０８】
クライアント装置１０２のＣＰＵ２０１は、ステップＳ７０２で受け付けた操作指示が、印刷設定画面１０００に設定されている、原稿サイズ指定部１００２、出力用紙サイズ指定部１００３、印刷向き指定部１００４、部数指定部１００５、ページレイアウト指定部１００６、配置順指定部１００７、片面／両面指定部１００８、カラーモード指定部１００９等に対する操作により入力される印刷設定の変更指示であると判定すると（ステップＳ７０３でＹＥＳ）、処理をステップＳ７０４に進め、変更指示された印刷設定の表示を変更する。その後、処理をステップＳ７０２に戻す。
【０１０９】
クライアント装置１０２のＣＰＵ２０１は、ステップＳ７０２で受け付けた操作指示が、印刷設定画面１０００に設定されている一時使用可能印刷設定取得ボタン１０１０が押下されることにより入力される一時使用可能印刷設定取得指示であると判定すると（ステップＳ７０５でＹＥＳ）、処理をステップＳ７０６に進め、印刷設定取得・反映処理を行う。この処理の詳細は、図８を参照して説明する。
【０１１０】
ここで、図８を参照して、図７のステップＳ７０６の印刷設定取得・反映処理の詳細について説明する。
【０１１１】
クライアント装置１０２のＣＰＵ２０１は、まず、クライアント装置１０２のログインユーザのユーザ名を取得する（ステップＳ８０１）。そして、ユーザ名を含む一時使用可能印刷設定の要求データを作成し（ステップＳ８０２）、作成した要求データをサーバ装置１０１に対して送信する（ステップＳ８０３）。
【０１１２】
サーバ装置１０１は、クライアント装置１０２から送信された要求データを受信すると（ステップＳ８２１）、一時使用可能印刷設定データテーブル１４００に登録されている一時使用可能印刷設定データのうち、要求データに含まれるユーザ名がユーザ名１４０２に登録されている一時使用可能印刷設定データを取得する（ステップＳ８２２）。そして、取得した一時使用可能印刷データを含む返信データを作成し（ステップＳ８２３、作成した返信データを、要求データを送信したクライアント装置１０２に対して送信する（ステップＳ８２４）。尚、ステップＳ８２２において、一時使用可能印刷設定データを取得しなかった場合には、作成される要求データには一時使用可能印刷設定データは含まれない。
【０１１３】
クライアント装置１０２のＣＰＵ２０１は、サーバ装置１０１から送信された返信データを受信すると（ステップＳ８０４）、受信した返信データに一時使用可能印刷設定データが含まれているかを判定する（ステップＳ８０５）。
【０１１４】
ステップＳ８０５の判定処理でＮＯと判定した場合には、クライアント装置１０２のＣＰＵ２０１は処理をステップＳ８０９に進める。
【０１１５】
一方、ステップＳ８０５の判定処理でＹＥＳと判定した場合には、クライアント装置１０２のＣＰＵ２０１は処理をステップＳ８０６に進め、ステップＳ８０４で受信した返信データに含まれる一時使用可能印刷設定データに現在時刻が使用可能日時内である印刷設定データがあるかを判定する（ステップＳ８０６）。尚、この処理をサーバ装置１０１のＣＰＵ２０１によって行わせ、ステップＳ８２２で取得した一時使用可能印刷設定データのうち、現在時刻が使用可能日時内である一時使用可能印刷設定データのみを返信データに含ませるようにしても勿論良い。
【０１１６】
ステップＳ８０６の判定処理でＮＯと判定した場合には、クライアント装置１０２のＣＰＵ２０１は処理をステップＳ８０９に進める。
【０１１７】
一方、ステップＳ８０６の判定処理でＹＥＳと判定した場合には、クライアント装置１０２のＣＰＵ２０１は処理をステップＳ８０７に進め、印刷対象の文書データを、情報を取得する。この時、図１５に示すスケジュールに関連する印刷データ特定条件情報を用いた判定に必要となる情報を取得する。
【０１１８】
ここで、図１５を参照して、スケジュールに関連する印刷データ特定条件情報１５００について説明する。
【０１１９】
クライアント装置１０２の外部メモリ２１１には、ユーザが印刷しようとしている文書データが一時使用可能印刷設定を適用可能な文書データかを判定するための印刷データ特定条件が設定されたスケジュールに関連する印刷データ特定条件情報１５００が記憶されている。
【０１２０】
図１５に示すように、その条件として、印刷指示を行う文書データのファイル名に相手会社名を含む場合に一時使用可能印刷設定を適用した印刷が可能である、文書データのヘッダー、フッターに相手会社名を含む場合に一時使用可能印刷設定を適用した印刷が可能である、文書データの１ページ目に相手会社名を含む場合に一時使用可能印刷設定を適用した印刷が可能である等の条件が設定可能であり、印刷データがこの条件に合致するか否かにより、クライアント装置１０２のＣＰＵ２０１は、当該文書データの印刷に、一時使用可能印刷設定の適用が可能であるか否かを判定することになる。
【０１２１】
以上が、スケジュールに関連する印刷データ特定条件情報の説明である。
【０１２２】
図８の説明に戻る。クライアント装置１０２のＣＰＵ２０１は、ステップＳ８０７で取得した文書データの情報（例えば、ファイル名、ファイルのヘッダー・フッター、１ページ目の情報）と、相手先会社特定条件データを用いて、当該文書データが、一時使用可能印刷設定データの相手先会社１４０２に設定された会社向けの資料であるかを判定する（ステップＳ８０８）。この判定処理でＹＥＳと判定した場合には、処理をステップＳ８０９に進める。
【０１２３】
ステップＳ８０９では、クライアント装置１０２のＣＰＵ２０１は、サーバ装置１０１から取得した一時使用可能印刷設定を用いて、ページレイアウト指定部１００６、片面／両面指定部１００８、及びカラーモード指定部１００９それぞれで選択可能な印刷設定の項目を設定する。
【０１２４】
例えば、ユーザ０００２が２０１２年４月２３日の９：００から４月２６日の１６：００までの間にＸＹＺ株式会社との打ち合わせに関連する文書データの印刷を行う際には（図１４にその条件において使用可能な一時使用可能印刷設定が登録されている）、ページレイアウト指定部１００６、片面／両面指定部１００８、及びカラーモード指定部１００９それぞれで選択可能な印刷設定の項目は、図１０の（３）のように設定される。それ以外の場合には、印刷設定画面１０００が表示される際に、通常印刷設定情報１２００を用いて設定された図１０の（２）のままである。尚、ユーザ０００２の通常印刷設定情報は図１２に示す通りである。
【０１２５】
以上が、印刷設定取得・反映処理の詳細な説明である。
【０１２６】
図７の説明に戻る。クライアント装置１０２のＣＰＵ２０１は、ステップＳ７０２で受け付けた操作指示が、キャンセルボタン１０１２が押下されることにより入力される印刷キャンセル指示であると判定した場合には（ステップＳ７０７でＹＥＳ）、本図に示す処理を終了する。
【０１２７】
また、ステップＳ７０２で受け付けた操作指示が、印刷ボタン１０１１が押下されることで入力される印刷指示であると判定した場合には（ステップＳ７０８でＹＥＳ）、印刷設定画面１０００を介して指定された各種の印刷設定を取得し（ステップＳ７０９）、取得した印刷設定に従って、文書データの印刷を行うための印刷データを作成する（ステップＳ７１０）。そして、作成した印刷データを、指定されたプリンタに対して送信する（ステップＳ７１１）。
【０１２８】
以上が、クライアント装置１０２によって行われる印刷処理の説明である。
【０１２９】
以上説明したとおり、本発明では、通常では使用できない一時使用可能印刷設定情報を当該印刷設定による資料の印刷を行うスケジュールと関連付けて記憶させている。また、当該スケジュールの開始日時等を基準に一定の期間中、当該スケジュールに関連する文書データの印刷を行う際に一時使用可能印刷設定を設定する。
【０１３０】
これにより、ユーザは、スケジュールと関連する文書データを印刷するたびに一時使用可能印刷設定の申請を行うことなく、許可された期間中、当該スケジュールと関連する文書データの印刷を、一時使用可能印刷設定情報に従った印刷設定で行うことが可能となる。
【０１３１】
さらに、一時使用可能印刷設定に関連付いたスケジュールとは関連性のない文書データの印刷処理を行う際には、通常使用可能な印刷設定でしか印刷を行うことが出来ないので、ユーザが不当に通常禁止されている印刷設定で文書データを印刷出力することを好適に防止することが可能となる。
【０１３２】
尚、上述した各種データの構成及びその内容はこれに限定されるものではなく、用途や目的に応じて、様々な構成や内容で構成されることは言うまでもない。
【０１３３】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１３４】
また、本発明におけるプログラムは、処理方法をコンピュータが実行可能なプログラムであり、本発明の記憶媒体は処理方法をコンピュータが実行可能なプログラムが記憶されている。なお、本発明におけるプログラムは各装置の処理方法ごとのプログラムであってもよい。
【０１３５】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１３６】
この場合、記録媒体から読み出されたプログラム自体が本発明の新規な機能を実現することになり、そのプログラムを記憶した記録媒体は本発明を構成することになる。
【０１３７】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【０１３８】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１３９】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４０】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１４１】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【符号の説明】
【０１４２】
１０１  サーバ装置
１０２  クライアント装置
１０３  画像形成装置
１０４  ＬＡＮ
２０１  ＣＰＵ
２０２  ＲＡＭ
２０３  ＲＯＭ
２０４  システムバス
２０５  入力コントローラ
２０６  ビデオコントローラ
２０７  メモリコントローラ
２０８  通信Ｉ／Ｆ（インタフェース）コントローラ
２０９  入力装置
２１０  ディスプレイ装置
２１１  外部メモリ
【図１】
2013246707.tif 000003
【図２】
2013246707.tif 000004
【図３】
2013246707.tif 000005
【図４】
2013246707.tif 000006
【図５】
2013246707.tif 000007
【図６】
2013246707.tif 000008
【図７】
2013246707.tif 000009
【図８】
2013246707.tif 000010
【図９】
2013246707.tif 000011
【図１０】
2013246707.tif 000012
【図１１】
2013246707.tif 000013
【図１２】
2013246707.tif 000014
【図１３】
2013246707.tif 000015
【図１４】
2013246707.tif 000016
【図１５】
2013246707.tif 000017